(57)【要約】【課題】ストラップ装飾体やイヤリングの装身具の様にぶら下げて使用する装飾体を、光輝く装飾体で目立ち使用している人と見ている人の心を楽しく、癒しを得ることの出来るストラップ装飾体を提供しようとするものである。【解決手段】本発明のスイッチ付き電池ボックスは、一端に開口部２ａを有し内部に電池１を収納するボックス２と、開口部２ａを閉じるキャップ６と、キャップ６の底部６ａの内面に設けられたスイッチ盤７と、発光部３および２つの端子４、５を有する発光素子３ａとを備え、発光素子３ａの一方の端子４はボックス２の底部２ｂの内面に露呈して電池１と接触し、発光素子３ａの他方の端子５は電池１と絶縁されて開口部２ａから突出し、スイッチ盤７は、中心部２１から他方の端子５まで伸びる長径部７ａを有し、スイッチ盤７の長径部７ａの移動により発光素子３ａが点灯する。【選択図】図１
2018063933.tif 000002
【特許請求の範囲】
【請求項１】
一端に開口部を有し内部に電池を収納するボックスと、前記開口部を閉じるキャップと、前記キャップの底部の内面に設けられたスイッチ盤と、発光部および２つの端子を有する発光素子とを備え、前記発光素子の一方の前記端子は前記ボックスの底部の内面に露呈して前記電池と接触し、前記発光素子の他方の前記端子は前記電池と絶縁されて前記開口部から突出し、前記スイッチ盤は、中心部から前記他方の端子まで伸びる長径部を有し、前記スイッチ盤の前記長径部の移動により前記発光素子が点灯するスイッチ付き電池ボックス。
【請求項２】
前記発光素子の前記一方の端子は、前記ボックスの前記底部を貫通して前記底部の内面に露呈し、前記発光素子の前記他方の端子は、前記ボックスの側壁部に沿って設けられた請求項１記載のスイッチ付き電池ボックス。
【請求項３】
前記ボックスの前記開口部は前記キャップの回転により閉じられ、前記スイッチ盤は導電体からなり、前記スイッチ盤は前記長径部よりも短い短径部を有し、前記スイッチ盤は前記キャップの回転に伴って回転し、前記スイッチ盤の前記長径部は前記キャップの回転に伴って回転移動し、前記発光素子の前記他方の端子の先端部は、前記スイッチ盤の前記長径部の端部と接触可能なように、前記ボックスの前記開口部から突出している請求項１記載のスイッチ付き電池ボックス。
【請求項４】
前記他方の端子の前記先端部は、前記ボックスの中央部の方向に屈曲し、前記キャップの底部の内面の、前記スイッチ盤の前記長径部の端部と対向する位置に、空間部が設けられた請求項３記載のスイッチ付き電池ボックス。
【請求項５】
前記ボックスの前記開口部は前記キャップの回転により閉じられ、前記スイッチ盤は絶縁体からなり、前記スイッチ盤は前記長径部よりも短い短径部を有し、前記スイッチ盤は前記キャップの回転に伴って回転し、前記スイッチ盤の前記長径部は前記キャップの回転に伴って回転移動し、前記発光素子の前記他方の端の先端部は、前記ボックスの中央部の方向に屈曲して前記電池に接触する屈曲部を有し、前記スイッチ盤の前記長径部の端部は、前記発光素子の前記他方の端子の前記屈曲部と前記電池との間に介在可能である請求項１記載のスイッチ付き電池ボックス。
【請求項６】
前記スイッチ盤の前記長径部の端部は、断面Ｍ字形状を呈する請求項５記載のスイッチ付き電池ボックス。
【請求項７】
前記キャップは前記ボックスの前記開口部を開閉するように前記ボックスの側壁上端部に回動自在に設けられ、前記スイッチ盤は、前記キャップにより前記ボックスの前記開口部を閉じたときに、前記長径部の端部が前記発光素子の前記他方の端子と接触するように、前記キャップの前記底部の内面に設けられ、前記スイッチ盤の前記長径部は前記キャップの回動に伴って回動する請求項１記載のスイッチ付き電池ボックス。
【請求項８】
前記スイッチ盤は前記長径部よりも短い短径部を有し、前記スイッチ盤は、前記キャップの前記底部の内面において、前記長径部および前記短径部の位置が可変である請求項７記載のスイッチ付き電池ボックス。
【請求項９】
前記発光素子は前記発光部を覆う光透過部を有し、前記光透過部は、透孔を有し前記ボックスにねじ止めされる照明カバーで覆われた請求項１記載のスイッチ付き電池ボックス。
【請求項１０】
前記発光素子は前記発光部を覆う光透過部を有し、前記光透過部と前記ボックスとが一体成形された請求項１記載のスイッチ付き電池ボックス。
【請求項１１】
前記ボックスは、透過性を有する装飾部を備えた取り替カバーが、前記発光部を覆うように、着脱自在に取り付けられる請求項１０記載のスイッチ付き電池ボックス。
【請求項１２】
前記キャップは、前記内面と外面との間に空洞を有し、前記スィチ盤は、前記キャップの外面を押圧することにより動作するように、前記キャップの内面に設けられた請求項７記載のスイッチ付き電池ボックス。
【発明の詳細な説明】
【技術分野】
【０００１】  本発明はスイッチ付き電池ボックスに関するものである。
【背景技術】
【０００２】  従来のスイッチ付き電池ボックスには、配線基板に設けられるプッシュ式やスライド式のマイクロスィチが使用されていた。
【発明の概要】
【発明が解決しようとする課題】
【０００３】  ストラップやイヤリングの様にぶら下げて使用する装飾体や装身具を、発光素子を用いて光輝き目立ち使用するためには、従来のスイッチ付き電池ボックスでは小型化が困難であった。
本発明は、発光素子を用いて、見ている人の心を楽しくし、癒しを与えることの出来るストラップ装飾体やイヤリングの装身具などを得ることのできるスイッチ付き電池ボックスを提供しようとするものである。
【課題を解決するための手段】
【０００４】  本発明のスイッチ付き電池ボックスは、一端に開口部を有し内部に電池を収納するボックスと、開口部を閉じるキャップと、キャップの底部の内面に設けられたスイッチ盤と、発光部および２つの端子を有する発光素子とを備え、発光素子の一方の端子はボックスの底部の内面に露呈して電池と接触し、発光素子の他方の端子は電池と絶縁されて開口部から突出し、スイッチ盤は、中心部から他方の端子まで伸びる長径部を有し、スイッチ盤の長径部の移動により発光素子が点灯する。
【発明の効果】
【０００５】  本発明は、単純明快に小型軽量化が容易にできるスイッチ付き電池ボックスであり、光り輝く発光素子の照明で絢爛豪華に視覚を楽しく癒し和む煌びやかなイヤリングの装身具やストラップ装飾体などを得ることが出来る。
【図面の簡単な説明】
【図１】本発明の実施例１を示す正面から見た拡大断面図
【図２】同実施例のキャップの正面から見た拡大断面図
【図３】同実施例のボックスの正面から見た拡大断面図
【図４】同実施例のキャップの平面図
【図５】同実施例のキャップの裏面図
【図６】同実施例の回転電導盤の断面図
【図７】同実施例の回転電導盤の平面図
【図８】同実施例の他の回転電導盤の平面図
【図９】本発明の実施例２を示す要部斜視図
【図１０】同実施例の回転電導盤を示す図８のＥ−Ｆ断面図
【図１１】本発明の実施例３を示す正面から見た拡大断面図
【図１２】本発明の実施例４を示す要部断面図
【図１３】本発明の実施例５を示す正面から見た拡大断面図
【図１４】本発明の実施例６を示す正面から見た拡大断面図
【発明を実施するための形態】
【実施例１】
【０００６】  図１〜図３に示すように、本実施例のスイッチ付き電池ボックスは、一端に開口部２ａを有し内部に電池１を収納するボックス２と、開口部２ａを閉じるキャップ６と、キャップ６の底部６ａの内面に設けられたスイッチ盤としての回転電導盤７と、発光部３および２つの端子（Ａ端子４、Ｂ端子５）を有する発光素子３ａとを備えている。発光素子３ａの一方のＡ端子４はボックス２の底部２ｂの内面に露呈して電池１と接触し、発光素子３ａの他方のＢ端子５は電池１と絶縁されて、先端部５ａが開口部２ａから突出している。回転電導盤７は、中心部２１（図７）から他方のＢ端子５まで伸びる長径部７ａと、長径部７ａよりも短い短径部７ｂとを有している。長径部７ａおよび短径部７ｂは電導性を有するため、回転電導盤７の長径部７ａの回転移動により発光素子３ａが点灯する。
すなわち、ボックス２は円筒状で、側壁部２ｃの外面にネジ谷溝１２が形成されている。キャップ６は同じく円筒状で、側壁部６ｂの内面にネジ谷溝６ｃが形成されている。キャップ６のネジ谷溝６ｃとボックス２のネジ谷溝１２を合わせてキャップ６を回転することにより、ボックス２の開口部２ａを閉じることができる。【０００７】  発光素子３ａは、Ａ端子（一方の端子）４とＢ端子（他方の端子）５とを有するＬＥＤチップなどの発光部３と、発光部３を覆う樹脂などの光透過部８とから構成されている。発光部３はボックス２の底部２ｂの外面の中央部に設けられている。
さらに、光透過部８は、図１、図３に示すように、底部が半球状の筒状の照明カバー１０で覆われている。照明カバー１０は、ボックス２の側壁部２ｃの下方のネジ谷溝１２にネジ止め固定される固定部１０ａと、底部の光透過部８を覆うカバー部１０ｂとを有する。照明カバー１０は、底部頂部および底部側部に複数の透孔１５が形成されている。透明カバー１０とキャッブ６とをボックス２にネジ止めすることにより、ボックス２の側壁部２ｃは全てが覆われる。
Ａ端子４は、ボックス２の底部２ｂを貫通して先端部４ａが底部２ｂの内面に露呈し固定されている。したがって、Ａ端子４は、ボックス２の底部２ｂの内面中央部に露呈する。これにより、ボックス２内にボタン電池などの電池１を収納すると、図１に示すように、電池１の正極がＡ端子４の先端部４ａと接触する。【０００８】  Ｂ端子５はボックス２の底部２ｂおよび側壁部２ｃの内部に埋設される。Ｂ端子５の先端部５ａは、側壁部２ｃの開口部２ａから突出し、ボックス２の開口部２ａの中央部の方向に少しだけ屈曲している。
なお、Ｂ端子５は、底部２ｂおよび側壁部２ｃの内部に埋設されなくても、絶縁膜などで被覆して、ボックス２の底部２ｂおよび側壁部２ｃの内面に沿わせて設けることも可能である。すなわち、Ｂ端子５は、ボックス２に収納される電池１から絶縁されて設けられればよい。また、Ｂ端子５は、先端部５ａが屈曲している必要はない。すなわち、Ｂ端子５は、先端部が、回転電導盤７の長径部７ａの端部と接触可能なように、ボックス２の開口部２ａから突出していればよい。【０００９】  図４に示すように、キャップ６は外表面（底部６ａの外面）に片状の取手６ｄが形成され、取手６ｄには、ペンダント用のチェーンや紐などを通すための孔６ｅ（図１）が形成されている。図５に示すように、キャップ６の裏面（底部６ａの内面）には回転電導盤７が取り付けられる溝状の窪み１４が形成されている。図５の点線はキャップ６のネジ谷溝６ｃを示している。【００１０】  本実施例では、回転電導盤７は、導電体からなる。図６、図７に示すように、回転電導盤７は、直径がボックス２の内径とほぼ同じかそれより少し小さい円盤体で、一部に切欠部９を有する。図７において、点線はボックス２のネジ谷溝１２を示している。回転電導盤７は、キャップ６の窪み１４に、はめ込みや強力接着剤で固定される突起１１を有する。回転電導盤７は、回転の中心部２１から円盤体の最外部まで伸びる長径部７ａと、切欠部９まで伸びる短径部７ｂとを有する。したがって、中心部２１からの距離は短径部７ｂの方が長径部７ａより短い。本実施例では、図７に示すように、回転電導盤７は、部分日食で一部が欠けた太陽のような形状をしており、欠けた部分が切欠部９である。回転電導盤７を構成する円盤体の中心部２１から切欠部９までの距離は、同円盤体の半径よりも短く、この部分が短径部７ｂである。同円盤体の短径部７ｂ以外の部分は、円盤体の中心部２１からの距離が円盤体の半径と同じであり、この部分が長径部７ａである。なお、短径部７ｂは、本実施例のように曲線形状でなくても直線形状でも可能である。【００１１】  回転電導盤７は、キャップ６の窪み１４に固定されているため、キャップ６の回転に伴って回転する。そのため、回転電導盤７は下方に押し下げられ、図７に示す状態では、長径部７ａがＢ端子５の先端部５ａと接触する状態になる。したがって、回転電導盤７は、押し下げられた状態では、電池１の陰極と接触するので、発光部３が点灯する。さらにキャップ６を回転させると、これに伴って回転電導盤７が回転し、短径部７ｂに対応する切欠部９がＢ端子５の先端部５ａａの位置に来る。図７において、Ｂ端子５の先端部５ａａは、回転電導盤７の切欠部９の位置に来たときの状態を示している。
このとき、回転電導盤７とＢ端子５の先端部５ａａとの接触が解放される状態になり、発光部３は消灯する。すなわち、キャップ６を回転させることにより、回転電導盤７がＢ端子５の先端部５ａに接触、非接触を繰り返すことになり、発光素子３ａのオン、オフを行うことができる。なお、キャップ６の回転は、右回転、左回転のいずれの方向でも同じように発光素子３ａをオン、オフすることができる。【００１２】  ところで、キャップ６の回転により回転電導盤７が回転し、回転電導盤７がＢ端子５の先端部５ａと接触する際に、回転電導盤７のＢ端子５の先端部５ａとの接触部分が、キャップ６の底部６ａの内面側（図１の上側）へ盛り上がることがある。そのため、本実施例では、図２に示すように、キャップ６の底部６ａの内面側の先端部５ａと対向する位置に空間部１３が設けられている。これにより、先端部５ａにより回転電導盤７が盛り上がっても、その盛り上がりは空間部１３に吸収され、回転電導盤７の盛り上がり部がキャップ６の底面と摩擦を起こすことなく、キャップ６の回転をスムーズに行うことができる。
本実施例では、回転電導盤７を、部分日食で欠けた太陽のような形状にしたが、棒状、楕円形状、矩形状などにすることも可能である。棒状、楕円形状などの場合は、オン期間よりもオフ期間の方が長くなる。
また、図８に示すように、回転電導盤７の円盤体を三等分した星形状とすることも可能である。図８において、点線はボックス２のネジ谷溝１２を示している。この場合は、長径部７ａおよび短径部７ｂ共に、３か所ずつ均等に形成される。したがって、図７に示す形状の場合よりも、オン、オフの期間が均等に発生するので、発光部３の点灯、消灯を容易に行いやすい。【００１３】  以上のように本実施例のスイッチ付き電池ボックスによれば、ボタン電池などの小型電池を収納するボックス２のキャップ６の底部６ａ内面に、キャップ６の回転と共に回転する回転電導盤７が設けられているため、ボックス２の大きさだけ（ほぼボタン電池の大きさだけ）でボックス２の底部２ｂに設けられた発光素子３ａを点滅させることができる。
さらに、キャップ６の底部６ａの外面の取手６ｄに形成された孔６ｅに、ネックレスチェーンなどを通して、本実施例の発光素子３ａをペンダントトップとして用いることができる。照明カバー１０には多数の透孔１５が形成されているため、発光素子３ａの発光の見え方が透孔１５と照明カバー１０の部分とで異なる。したがって、ペンダントトップやイヤリングの中央部がワンポイントに光る装身具など、装飾性に富んだ装身具が得られる。【００１４】  照明カバー１０を乳白色にして柔らかな光を楽しむことができる。また、発光素子３ａの周辺にホログラムを併用しデザインを施した装飾体を安価に製造することができる。
また、装身具に限らず、バランスをとり、配線なしで両端で光る振り分荷物を弥次郎兵衛人形の装飾などにも使用できる。
なお、有色の発光部３を用いたり、点滅制御の発光部３を用いたりすることにより、より多彩な装飾効果が得られる。
【実施例２】  本実施例のスイッチ付き電池ボックスの構成は、実施例１とほぼ同じであるが、実施例１の回転電導盤７が絶縁体からなる回転絶縁盤１９となっている点と、発光素子３ａのＢ端子（他方の端子）５の先端部５ａが、ボックス２の中央部の方向に屈曲して電池１に接触する屈曲部５ｂを有し、回転絶縁盤１９の長径部７ａの接触部１９ａは、発光素子３ａのＢ端子５の屈曲部５ｂと電池１との間に介在可能である点が異なっている。
図９は本実施例の要部の斜視図を示しており、Ｂ端子５および回転絶縁盤１９の動作を説明している。本実施例では、図９に示すように、発光素子３ａのＢ端子５の先端部５ａが、ボックス２の中央部の方向に屈曲して電池１に接触する屈曲部５ｂを有している。【００１５】  図１０は、実施例の回転絶縁盤１９の断面を示す図であって、図８に示す回転電導盤７の接触端部２０のＥ−Ｆ線断面図である。図８は実施例１の図であるが、Ｂ端子５以外は実施例２と同じ形状であるので、Ｂ端子５の形状以外は図８を用いて実施例２を説明する。【００１６】  本実施例では、回転絶縁盤１９の長径部７ａの接触部１９ａは断面Ｍ字形状を呈している。したがって、図１０に示すように、断面Ｍ字形状の接触部１９ａの側部が、キャップ６の回転に伴う回転絶縁盤１９の回転により、Ｂ端子５の屈曲部５ｂを掬い上げる。
すなわち、本実施例では、回転絶縁盤１９が絶縁体であり、回転絶縁盤１９の接触部１９ａは断面Ｍ字形状をしているので、図９に示すように、回転絶縁盤１９の接触部１９ａの側部がＢ端子５の屈曲部５ｂを掬い上げた際には、回転絶縁盤１９の長径部７ａの接触部１９ａは、発光素子３ａのＢ端子５の屈曲部５ｂと電池１との間に介在することになり、Ｂ端子５と電池１との接触がなくなる。そのため、発光部３は消灯する。【００１７】  キャップ６をさらに回転し回転絶縁盤１９もさらに回転することにより、回転絶縁盤１９の長径部７ａの接触部１９ａが発光素子３ａのＢ端子５の屈曲部５ｂ（図９の点線で示す）と電池１との間に介在しなくなり、Ｂ端子５と電池１とが接触するので発光部３は点灯する。
本実施例においても、回転絶縁盤１９の形状は、実施例１と同様に、棒状、楕円形状、矩形状などにすることも可能である。
以上のように、本実施例においても実施例１と同様の効果が得られる。
【実施例３】  図１１は本発明のスイッチ付き電池ボックスを小型化した実施例を示す断面図である。本実施例では、ボックス２と光透過部８と照明カバー１０が一体成形されている。２個の電池１をボックス１に収納し、さらに小型化されている。
本実施例では、発光部３は、照明カバー１０と一体成形された光透過部８内に埋設されている。その他の構成は、実施例１と同様である。
本実施例では、イヤリングや指輪など非常に小さな装身具に適している。
【実施例４】  図１２は実施例１のスイッチ付き電池ボックスをストラップ応用品に適用した場合の実施例を示す要部側断面図である。図１２において、光透過部８は二股状に形成され、二股の先端はキャラクターグッズなどの人形や動物の目１７および瞳１８の形状に成形されている。このような光透過部８を、キャラクターグッズなどの人形や動物の縫いぐるみ１６で覆うことにより、目１７がキラキラ光る縫いぐるみ１６のストラップ装飾体が得られる。本実施例においても、ボックス２と光透過部８と照明カバー１０が一体成形されている。
なお、本実施例では、光透過部８を、キャラクターグッズなどの人形や動物の目に成形したが、これに限らず、ハート形や星形など任意の形状に成形することは可能である。
【実施例５】  図１３は実施例１のスイッチ付き電池ボックスを用いた他の実施例を示す断面図である。本実施例においては、実施例２と同様に、光透過部８とボックス２は一体成形されて小型化されている。
Ａ端子４は、ボックス２の底部２ｂを貫通して先端部４ａが底部２ｂの内面中央部に露呈し固定されている。Ｂ端子５はボックス２の底部２ｂおよび側壁部２ｃの内部に埋設され、先端部５ａが側壁部２ｃの開口部２ａから突出している。【００１８】  キャップ６は内面に長径部７ａと短径部７ｂを有する回転電導盤７が固定されており、キャップ６はボックス２に蝶番２２で結合されている。キャップ６の蝶番２２とは反対側にはフック２３が形成されており、ボックス２の蝶番２２とは反対側に形成された凹部２４と嵌合するようになっている。すなわち、キャップ６はボックス２の開口部２ａを開閉するようにボックス２の側壁部２ｃの上端部に回動自在に設けられている。
回転電導盤７は、キャップ６の底部内面において、回転などさせることにより、長径部７ａと短径部７ｂの位置を可変できる。
したがって、回転電導盤７の長径部７ａを蝶番２２側に設定しておけば、キャップ６を回動により閉じてフック２３を凹部２４に嵌め合うことにより、回転電導盤７の長径部７ａがＢ端子５の先端部５ａと接触し発光部３が点灯する。キャップ６のフック２３を凹部２４から外してキャップ６を開くことにより、発光部３が消灯する。
また、回転電導盤７の短径部７ｂを蝶番２２側に設定しておけば、キャップ６を閉じてもスイッチ盤７はＢ端子５に接触することはなく、発光部３を発光させずにキャップ６を閉じることができる。したがって、発光を装飾として使用しない場合は、装身具などの電池の消耗を防ぐことができる。
なお、本実施例では、回転電導盤７は、回転させずにキャップ６に固定することも可能である。この場合は、キャップ６を開いて発光部３を消灯することになる。
【実施例６】  図１４はプッシュ頭部２５ａを有するプッシュ機能を有するスィチ盤２５をキャプ６の内面である支持盤６ｇに固定してある。本実施例では、スイッチ盤２５は、マイクロスイッチのような形状であり、長径部４ｂである一方の端子と、短径部４ｃである他方の端子とを備えている。スイッチ盤２５をオンしておくことにより、キャップ６は、実施例５と同様に、ボックス２の開口部２ａを開閉するようにボックス２の側壁部２ｃの上端部に回動自在に設けられているため、キャップ２の回動により長径部４ｂがＢ端子５の先端部５ａと接触して発行部３が点灯する。また、キャップ６を開くことにより、発行部３が消灯する。なお、長径部４ｂと電池１との間には絶縁部５ｃが設けられており、電池１と長径部４ｂとが短絡しないようにしてある。
蝶番２２を中心にして可動するキャプ６は内面と外面との間に空洞１３ａを有している。キャプ６は、外面部６ａを肉薄くし可撓性を備えている。外面部６ａの空洞１３ａ側には、凸起１１ａを有している。ボックス２を片手の親指と中指で固定し、人差し指で取手６ｄをプッシュして反対側の凸起１１ａで、スィチ盤２５ａが作用しオンになる。なお、キャップ６を閉じておけば、人差し指で取手６ｄをプッシュするたびオンオフが容易に切替えることができる。
なお、図１４に示すように、本実施例では、光透過部８の下部をカバーする透光性の取り替カバー２７が設けられている。取り替カバー２７は、放熱用の透孔１５が形成されており、少なくとも１つの透孔１５に、透過性を有する宝石、光を反射する貴金属やホログラム等からなる装飾部２６が設けられている。これにより、種多様なデザインの装飾部２６を有する複数の取り替カバー２７を用意しておけば、取り替えカバー２７を取り替えることにより多種多様な装飾を楽しむことができる。
【符号の説明】  １  電池
２  ボックス
２ａ  開口部
２ｂ  底部
２ｃ  側壁部
３  発光部
３ａ  発光素子
４  Ａ端子
４ａ  先端部
４ｂ  端子足先
４ｃ  端子足
５  Ｂ端子
５ａ  先端部
５ｂ  屈曲部
５ｃ  絶縁部
６  キャップ
６ａ  底部
６ｂ  側壁部
６ｃ  ネジ谷溝
６ｄ  取手
６ｅ  孔
６ｆ  可撓性
６ｇ  支持盤
７  回転電導盤
７ａ  長径部
７ｂ  短径部
８  光透過部
９  切欠部
１０  照明カバー
１０ａ  固定部
１０ｂ  カバー部
１１  突起
１１ａ  凸起
１２  ネジ谷溝
１３  空間部
１３ａ  空洞
１４  窪み
１５  透孔
１６  縫いぐるみ
１７  目
１８  瞳
１９  回転絶縁盤
１９ａ  接触部
２０  接触端部
２１  中心部
２２  蝶番
２３  フック
２４  凹部
２４ａ  嵌合部
２５  スィチ盤
２５ａ  プッシュ頭部
２６  宝石
２７  取り替カバー
【図１】
2018063933.tif 000003
【図２】
2018063933.tif 000004
【図３】
2018063933.tif 000005
【図４】
2018063933.tif 000006
【図５】
2018063933.tif 000007
【図６】
2018063933.tif 000008
【図７】
2018063933.tif 000009
【図８】
2018063933.tif 000010
【図９】
2018063933.tif 000011
【図１０】
2018063933.tif 000012
【図１１】
2018063933.tif 000013
【図１２】
2018063933.tif 000014
【図１３】
2018063933.tif 000015
【図１４】
2018063933.tif 000016